(57)【要約】【課題】生理活性物質を結合した機能性架橋構造体の製造方法を提供する。【解決手段】ＯＨ基及びアミノ基からなる群から選ばれる少なくとも１種とＣＯＯＨ基を繰り返し単位に有する天然高分子を水中で水溶性脱水縮合剤の存在下にＯＨ基又はアミノ基を有する生理活性物質と反応させて、天然高分子のＣＯＯＨ基とエステル結合又はアミド結合を介して生理活性物質を結合し、かつ、前記天然高分子の架橋反応を行うことを特徴とする、機能性架橋構造体の製造方法。【選択図】図２
2015208369.tif 000002
【特許請求の範囲】
【請求項１】
ＯＨ基及びアミノ基からなる群から選ばれる少なくとも１種とＣＯＯＨ基を繰り返し単位に有する天然高分子を水中で水溶性脱水縮合剤の存在下にＯＨ基又はアミノ基を有する生理活性物質と反応させて、天然高分子のＣＯＯＨ基とエステル結合又はアミド結合を介して生理活性物質を結合し、かつ、前記天然高分子の架橋反応を行うことを特徴とする、機能性架橋構造体の製造方法。
【請求項２】
水溶性脱水縮合剤が、トリアジン系縮合剤及び水溶性カルボジイミド類からなる群から選ばれることを特徴とする請求項１に記載の機能性架橋構造体の製造方法。
【請求項３】
生理活性物質がカテキン類、ポリフェノール類、プロアントシアニジン、アントシアニン、フラボノイド類、大豆イソフラボン類及びポリアミンからなる群から選ばれる少なくとも１種である、請求項１又は２に記載の機能性架橋構造体の製造方法。
【請求項４】
天然高分子がヒアルロン酸、コラーゲン、ゼラチン、キサンタンガム、ジェランガム、ペクチン／ペクチン酸、アルギン酸又はそのナトリウム塩、エラスチンからなる群から選ばれる、請求項１〜３のいずれかに記載の機能性架橋構造体の製造方法。
【請求項５】
ＯＨ基及びアミノ基からなる群から選ばれる少なくとも１種とＣＯＯＨ基を繰り返し単位に有する天然高分子と、ＯＨ基又はアミノ基を有する生理活性物質がエステル結合又はアミド結合で結合され、かつ、天然高分子のＣＯＯＨ基と天然高分子のＯＨ基及びアミノ基からなる群から選ばれる少なくとも１種が架橋している、機能性架橋構造体。
【請求項６】
請求項５記載の機能性架橋構造体を含む医療材料。
【発明の詳細な説明】
【技術分野】
【０００１】
本発明は、機能性架橋構造体及びその製造方法並びに医療材料に関する。
【背景技術】
【０００２】
従来のゼラチンスポンジの製造法は、真空熱脱水法、乾熱法、紫外線・γ線・電子線・Ｘ線などを照射する方法、架橋剤を用いる方法などが挙げられる。例えば特許文献１には紫外線あるいは化学架橋剤を用いる方法、特許文献２には上記全ての方法、特許文献３と５には化学架橋剤を用いる方法、特許文献４には真空熱脱水法および化学架橋剤を用いる方法が開示されている。また、特許文献６にはポリフェノール類を架橋剤に用いる方法が開示されている。
【０００３】
上記の特許文献１〜５の方法では、ゼラチンスポンジを調製するために加熱や紫外線等のエネルギー線の照射、あるいは化学架橋剤が必要である。化学架橋剤を用いる方法は、架橋剤としてグルタルアルデヒド（特許文献３）やヘキサメチレンジイソシアネート（特許文献４）、チオール誘導体（特許文献５）など、高反応活性基を有する化合物を使用しなければならない。また、ゼラチンスポンジの医療材料としての利用を考える場合、スポンジ内に生理活性物質を含有させることが望まれるが、高温加熱や紫外線照射による方法では生理活性物質の分解が懸念されるため、適用困難である。特許文献６の方法では、カテキン類の高分子量体であるポリフェノールを架橋剤として用いてわずかな加熱によってゼラチンを処理しているが、ゼラチンの高分子量化を確認するに留まっており、架橋度は低くスポンジの調製には至っていない。
【先行技術文献】
【特許文献】
【０００４】
【特許文献１】特開平９−１７３３６２号公報
【特許文献２】特開２００２−７１６号公報
【特許文献３】特開２００５−２１３４４９号公報
【特許文献４】特表２００７−５３７３１４号公報
【特許文献５】特表２０１０−５１５７８８号公報
【特許文献６】特開２００１−８６３４号公報
【発明の概要】
【発明が解決しようとする課題】
【０００５】
本発明は、機能性架橋構造体及びその製造方法並びに医療材料を提供することを目的とする。
【課題を解決するための手段】
【０００６】
本発明は、以下の機能性架橋構造体及びその製造方法並びに医療材料を提供するものである。
項１．  ＯＨ基及びアミノ基からなる群から選ばれる少なくとも１種とＣＯＯＨ基を繰り返し単位に有する天然高分子を水中で水溶性脱水縮合剤の存在下にＯＨ基又はアミノ基を有する生理活性物質と反応させて、天然高分子のＣＯＯＨ基とエステル結合又はアミド結合を介して生理活性物質を結合し、かつ、前記天然高分子の架橋反応を行うことを特徴とする、機能性架橋構造体の製造方法。
項２．  水溶性脱水縮合剤が、トリアジン系縮合剤及び水溶性カルボジイミド類からなる群から選ばれることを特徴とする項１に記載の機能性架橋構造体の製造方法。
項３．  生理活性物質がカテキン類、ポリフェノール類、プロアントシアニジン、アントシアニン、フラボノイド類、大豆イソフラボン類及びポリアミンからなる群から選ばれる少なくとも１種である、項１又は２に記載の機能性架橋構造体の製造方法。
項４．  天然高分子がヒアルロン酸、コラーゲン、ゼラチン、キサンタンガム、ジェランガム、ペクチン／ペクチン酸、アルギン酸又はそのナトリウム塩、エラスチンからなる群から選ばれる、項１〜３のいずれかに記載の機能性架橋構造体の製造方法。
項５．  ＯＨ基及びアミノ基からなる群から選ばれる少なくとも１種とＣＯＯＨ基を繰り返し単位に有する天然高分子と、ＯＨ基又はアミノ基を有する生理活性物質がエステル結合又はアミド結合で結合され、かつ、天然高分子のＣＯＯＨ基と天然高分子のＯＨ基及びアミノ基からなる群から選ばれる少なくとも１種が架橋している、機能性架橋構造体。
項６．  項５記載の機能性架橋構造体を含む医療材料。
【発明の効果】
【０００７】
本発明は、生理活性物質を共有結合により担持した機能性架橋構造体の新しい製造方法を提供するものである。本発明によれば、水溶性脱水縮合剤と水酸基を有する生理活性物質を用いることにより、加熱や紫外線・γ線・電子線・Ｘ線などの照射の必要無く、またアルデヒド基やイソシアネート基、チオール基などの反応性の高い官能基が無い生理活性物質を用いて機能性架橋構造体を調製することができる。
【０００８】
さらに機能性架橋構造体合成時に生理活性物質としてカテキン類を用いることで、カテキン類が化学的に結合した機能性架橋構造体を調製することができる。本製造方法は、カテキン類以外にも水酸基、アミノ基を有する生理活性物質に幅広く適用できる。
【０００９】
得られるカテキン類結合機能性架橋構造体は骨再生足場材料等の医療材料としての利用が可能である。マウスによる骨再生実験を実施したところ、カテキン類を結合したゼラチンスポンジは結合していないものと比較して、骨再生を促進することが確認できた。カテキン以外の生理活性物質を結合させることで、骨以外の再生のための医療材料とすることができる。
【００１０】
また、本発明の機能性架橋構造体は、細胞培養基材、ドラッグデリバリーシステムなどへの応用が可能である。
【図面の簡単な説明】
【００１１】
【図１】ゼラチン原料、ＥＧＣＧ（エピガロカテキンガレート）、ＥＧＣＧが結合した架橋ゼラチンスポンジ（ＥＧＣＧ−ゼラチン）の赤外分光（ＩＲ）分析のチャート
【図２】実施例１と比較例１で得たゼラチンスポンジを骨欠損箇所に埋入し、４週間経過後の骨欠損部の状態を示す写真。
【図３】ヒアルロン酸原料、ＥＧＣＧ、ＥＧＣＧが結合した架橋ヒアルロン酸（ＥＧＣＧ−ヒアルロン酸）のＩＲ分析のチャート
【発明を実施するための形態】
【００１２】
本明細書において、アミノ基は、第１級アミノ基（ＮＨ２）又は第２級アミノ基（ＮＨ）であり、天然高分子のＣＯＯＨ基とアミド結合を形成可能な基である。
【００１３】
天然高分子は、（１）ＣＯＯＨ基と（２）ＯＨ基及びアミノ基からなる群から選ばれる少なくとも１種を繰り返し単位に含むものであれば特に限定されない。ＣＯＯＨ基を含む繰り返し単位としては、グルクロン酸、ガラクツロン酸、マンヌツロン酸等のＣＯＯＨ基を有する糖残基、グルタミン酸、アスパラギン酸などのＣＯＯＨ基を側鎖に有するアミノ酸残基などが挙げられる。ＯＨ基もしくはアミノ基を有する繰り返し単位としては、グルコース、マンノース、ガラクトース、フルクトース、フコース、ラムノース、グルコサミン、ガラクトサミン、マンノサミン、リジン（Ｌｙｓ）、オルニチン（Ｏｒｎ）、ヒドロキシリジン（Ｈｙｌ）などが挙げられる。
【００１４】
天然高分子としては、ヒアルロン酸、コラーゲン、ゼラチン、キサンタンガム、ジェランガム、ペクチン／ペクチン酸、アルギン酸又はそのナトリウム塩、エラスチンなどが挙げられる。
【００１５】
ゼラチンスポンジの原料となるコラーゲンとしては、従来公知のゼラチンスポンジの原料が広く使用でき、例えば、酸可溶性コラーゲン、中性塩可溶性コラーゲン、酵素可溶化コラーゲン等の可溶性コラーゲンが挙げられる。
【００１６】
代表的なゼラチンの１０００アミノ酸残基あたりのアミノ酸数（アミノ酸組成）を以下の表１に示す。表１は豚皮のゼラチンを示し、牛皮、牛骨のゼラチンもほぼ同様なアミノ酸組成であるが、狂牛病の問題があるので、表１には豚皮由来のゼラチン組成のみを示す。
【００１７】
【表１】
2015208369.tif 000003
【００１８】
ゼラチンは、Ｇｌｙが約１／３を占め、Ｇｌｕ＋Ａｓｐ＝１１７個の側鎖ＣＯＯＨ基、Ｌｙｓ＋Ｈｙｌ＋Ａｒｇ＋Ｈｉｓ＝８６個の側鎖アミノ基（ＮＨ２、ＮＨ）、Ｓｅｒ＋Ｔｈｒ＋Ｔｙｒ＝５６個の側鎖ＯＨ基を有している。１１７個の側鎖ＣＯＯＨ基は、ゼラチンのＯＨ基、アミノ基とのエステル結合もしくはアミド結合による分子内架橋もしくは分子間架橋、さらにＯＨ基もしくはアミノ基を含む生理活性物質との共有結合（エステル結合、アミド結合）に利用される。このようなエステルもしくはアミドによる架橋及び共有結合は、水溶性脱水縮合剤をゼラチンを含む水中に添加することにより形成することができる。水溶性脱水縮合剤は、ゼラチンと生理活性物質を含む水中に加えてもよいが、ゼラチンを含む水中に一部の水溶性脱水縮合剤を加えてゼラチン架橋を形成し、その後に生理活性物質と追加の水溶性脱水縮合剤を添加して生理活性物質をゼラチンに結合させてもよい。換言すると、ゼラチン架橋反応と生理活性物質の結合反応は、同時に行ってもよく、先にゼラチン架橋をある程度形成させておき、その後に生理活性物質の結合（このときゼラチン架橋反応も同時に生じ得る）を生じさせてもよい。
【００１９】
上記でゼラチンのケースを例に取り説明したが、ゼラチン以外の天然高分子についても同様に生理活性物質及び水溶性脱水縮合剤を水中で反応させることで同様に機能性架橋構造体を得ることができる。
【００２０】
生理活性物質としては、ＯＨ基又はアミノ基を有するものであれば特に限定されないが、例えばカテキン類（カテキン（Ｃ）、ガロカテキン（ＧＣ）、エピカテキン（ＥＣ）、エピガロカテキン（ＥＧＣ）、カテキンガレート（ＣＧ）、エピカテキンガレート（ＥＣＧ）、ガロカテキンガレート（ＧＣＧ）、エピガロカテキンガレート（ＥＧＣＧ）など）、ポリフェノール、プロアントシアニジン、アントシアニン、フラボノイド（例えば、フラボノール、フラボン、イソフラボン、フラバノン、フラバノール等）、大豆イソフラボン（ダイゼイン、ゲニステイン、グリシテイン及びそれらの配糖体であるダイジン、ゲニスチン及びグリシチン並びにそれらの代謝産物であるエクオールなど）、ポリアミン（スペルミン、スペルミジンなど）などが挙げられる。
【００２１】
生理活性物質は、天然高分子１００重量部に対し、０．０００１〜１５重量部、好ましくは０．００１〜１０重量部、より好ましくは０．０１〜５重量部程度反応させればよい。
【００２２】
本発明に用いる脱水縮合剤は、水溶性であり、水溶液中で天然高分子のＣＯＯＨ基と生理活性物質のＯＨもしくはアミノ基とのエステル結合もしくはアミド結合を形成可能であり、かつ、天然高分子の架橋が可能であるものであれば特に限定されず、例えば４−（４，６−ジメトキシ−１，３，５−トリアジン−２−イル）−４−メチルモルホリニウムクロリド（ＤＭＴ−ＭＭ）などのトリアジン系縮合剤、１−シクロヘキシル−３−（２−モルホリノエチル）カルボジイミドの水溶性塩、１−エチル−３−（３−ジメチルアミノプロピル）カルボジイミド塩酸塩（ＷＳＣ）などが挙げられ、これらを単独でまたは適宜組み合わせて使用可能である。
【００２３】
水溶性脱水縮合剤は、天然高分子１００重量部に対し、１〜１０００重量部、好ましくは５〜５００重量部、より好ましくは１０〜１００重量部程度反応させればよい。
【００２４】
使用した脱水縮合剤は、水による洗浄によって除去できる。
【００２５】
機能性架橋構造体の精製は、常法に従い行うことができ、例えば透析、ゲルろ過クロマトグラフィー、イオン交換クロマトグラフィーなどが挙げられる。
【００２６】
本発明の製造方法で得られる機能性架橋構造体は、細胞を播種して組織を構築する、いわゆる再生医療に供するための細胞組織培養基材として好適に用いることができる。また、骨、軟骨、上皮、筋、結合組織、歯周組織の再生などの医療材料として利用することができる。さらに、ＤＤＳの基材としても好適に利用できる。緑茶カテキンは、間葉系幹細胞において骨形成を促進することが知られている（Ｏｓｔｅｏｐｏｒｏｓｉｓ  Ｉｎｔ．  （２００５）  １６：  ２０３９−２０４５）。緑茶カテキン以外の生理活性物質を結合させることで種々の組織を再生させるための医療材料として使用することができる。
【実施例】
【００２７】
以下、実施例により本発明をより詳細に説明する。
【００２８】
実施例１
豚ゼラチン（Ｓｉｇｍａ−Ａｌｄｒｉｃｈ社製）１００ｍｇを水５ｍｌに５０℃で溶解し、Ｎ−メチルモルホリン（２７．５μｌ）、ＥＧＣＧ（０．７ｍｇ）、ＤＭＴ−ＭＭ（６９．２ｍｇ）を加え、室温で２４時間撹拌した。
【００２９】
得られた溶液を、透析膜としてＲＣ透析チューブ  ポア７  ＭＷＣＯ１０００（Ｓｐｅｃｔｒｕｍ社製）を使用し、水に対し２４時間透析して未反応のＥＧＣＧ、ＤＭＴ−ＭＭ及びその反応生成物を除去して凍結乾燥することで、ＥＧＣＧが結合した架橋ゼラチンスポンジ（９３ｍｇ）を得た。
【００３０】
ゼラチン原料、ＥＧＣＧ、ＥＧＣＧが結合した架橋ゼラチンスポンジ（ＥＧＣＧ−ゼラチンスポンジ）のＩＲチャートを図１に示す。
【００３１】
架橋ゼラチンスポンジ反応溶液を透析した溶液の、ＥＧＣＧの極大吸収波長（２８０ｎｍ）での吸光度を測定し、架橋ゼラチン中のＥＧＣＧ含量を求めたところ、ゼラチン１００ｍｇ換算中０．７ｍｇであった。
【００３２】
比較例１
ゼラチン水溶液を常法に従い真空熱脱水し、ゼラチンスポンジを得た。
【００３３】
比較例２
豚ゼラチン（Ｓｉｇｍａ−Ａｌｄｒｉｃｈ社製）１００ｍｇを水５ｍｌに５０℃で溶解し、Ｎ−メチルモルホリン（２７．５μｌ）、ＥＧＣＧ（０．７ｍｇ）を加え、室温で２４時間撹拌した。得られた溶液を、透析膜としてＲＣ透析チューブ  ポア７  ＭＷＣＯ１０００（Ｓｐｅｃｔｒｕｍ社製）を使用し、水に対し２４時間透析して凍結乾燥すると、ＥＧＣＧが含まれないゼラチンが得られた。
【００３４】
実施例２
直径４．２ｍｍのトレフィンバーを用いマウスの頭蓋冠に臨界骨欠損を作製し、実施例１で得られたＥＧＣＧが結合した架橋ゼラチンスポンジ及び比較例１で得た真空熱脱水スポンジを当該欠損箇所に埋入した。４週間後の骨欠損箇所の状態を図２に示す。
【００３５】
コンピュータ断層撮影法を用いた解析から、本発明のＥＧＣＧ−ゼラチンスポンジを埋入すると新生骨の形成が確認されたが、真空熱脱水ゼラチンスポンジの埋入では骨再生は見られなかった。
【００３６】
実施例３
ヒアルロン酸（ナカライテスク社製）５０ｍｇを水５ｍｌに室温で溶解し、Ｎ−メチルモルホリン（１３．７μｌ）、ＥＧＣＧ（０．５ｍｇ）、ＤＭＴ−ＭＭ（３４．６ｍｇ）を加え、室温で２４時間撹拌した。
【００３７】
得られた溶液を、透析膜としてＲＣ透析チューブ  ポア７  ＭＷＣＯ１０００（Ｓｐｅｃｔｒｕｍ社製）を使用し、水に対し２４時間透析して未反応のＥＧＣＧ、ＤＭＴ−ＭＭ及びその反応生成物を除去して凍結乾燥することで、ＥＧＣＧが結合した架橋ヒアルロン酸（４５ｍｇ）を得た。得られた架橋ヒアルロン酸に水を加えることで、ヒドロゲルを得た。
【００３８】
ヒアルロン酸原料、ＥＧＣＧ、ＥＧＣＧが結合した架橋ヒアルロン酸のＩＲチャートを図３に示す。
【００３９】
実施例４
キサンタンガム（東京化成社製）１００ｍｇを水２５ｍｌに室温で溶解し、Ｎ−メチルモルホリン（２７．５μｌ）、ＥＧＣＧ（０．７ｍｇ）、ＤＭＴ−ＭＭ（６９．２ｍｇ）を加え、室温で２４時間撹拌した。
【００４０】
得られた溶液を、エタノールで再沈殿することにより未反応のＥＧＣＧ、ＤＭＴ−ＭＭ及びその反応生成物を除去して、ＥＧＣＧが結合した架橋キサンタンガム（９８ｍｇ）を得た。得られた架橋キサンタンガムに水を加えることで、ヒドロゲルを得た。
【図１】
2015208369.tif 000004
【図２】
2015208369.tif 000005
【図３】
2015208369.tif 000006